【手続補正書】
【提出日】平成22年6月1日(2010.6.1)
【手続補正１】
【補正対象書類名】特許請求の範囲
【補正対象項目名】全文
【補正方法】変更
【補正の内容】
【特許請求の範囲】
【請求項１】
微粒子の測定可能なパラメータに対応する第１のデータ・セットを獲得するステップと、
前記測定可能なパラメータの少なくとも１つに関連する値によって組み立てられ、かつ複数のロケーションを含むルックアップ・テーブルにアクセスするステップと、
前記第１のデータ・セットに対応する前記ルックアップ・テーブルのロケーションを識別するステップと、
前記識別されたロケーションに関連する１つまたは複数の事前に決められたアルゴリズムのみを処理して、前記１つまたは複数の事前に決められたアルゴリズムの少なくとも１つに、前記第１のデータ・セットが合うかどうかを判定するステップと、
前記識別するステップおよび前記判定するステップの後、前記識別されたロケーションにステップと、
を有し、
前記複数のロケーションのうち少なくともいくつかは前記１つまたは複数の事前に決められたアルゴリズムに関連し、それぞれの事前に決められたアルゴリズムは異なる微粒子の分類を表すことを特徴とする、コンピュータによって実施される方法。
【請求項２】
前記微粒子を前記分類するステップは、
前記第１のデータ・セットが、前記少なくとも１つの微粒子分類に関連する事前に決められたアルゴリズムに合うと判定した場合、前記微粒子分類の少なくとも１つの分類内に前記微粒子を分類するステップと、
前記第１のデータ・セットが、前記１つ又は複数の事前に決められたアルゴリズムに合わないと判定した場合、棄却分類内に前記微粒子を分類するステップの１つを含むことを特徴とする請求項１に記載の方法。
【請求項３】
前記１つまたは複数の事前に決められたアルゴリズムのみを処理するステップは、前記第１のデータ・セットが事前に決められたカテゴリ分類に分類されるまで、前記識別されたロケーションに関連する、前記１つ又は複数の事前に決められたアルゴリズム内で前記第１のデータ・セットを繰り返し処理するステップを含むことを特徴とする請求項１に記載の方法。
【請求項４】
前記微粒子を分類するステップは、前記第１のデータ・セットが、前記識別されたロケーションに関連する、前記１つまたは複数の事前に決めたアルゴリズムに合うと判定すると、複数の微粒子分類内に前記微粒子を分類するテップを含むことを特徴とする請求項１に記載の方法。
【請求項５】
前記第１のデータ・セットに最もよく合う前記複数の事前に決められたアルゴリズムのうちの単一の事前に決められたアルゴリズムを特定するステップと、
前記単一の事前に決められたアルゴリズムに関連する微粒子分類内に前記粒子を分類整理するステップと、
をさらに含むことを特徴とする請求項４に記載の方法。
【請求項６】
前記ルックアップ・テーブルの前記ロケーションを識別するステップは、前記ルックアップ・テーブルの粗いロケーションを識別するステップを含むことを特徴とする請求項１に記載の方法。
【請求項７】
前記ルックアップ・テーブルの前記ロケーションを識別するステップに先立ち、前記第１のデータ・セットの１つまたは複数の個別の値とそれぞれ互いに関係する１つ又は複数の包括値を含む第２のデータ・セットを作成するステップをさらに含み、前記包括値のそれぞれは、対応する測定可能なパラメータに関する可能な値の範囲を表し、前記ルックアップ・テーブルは、前記測定可能なパラメータの少なくとも１つのパラメータの包括値によって組み立てられ、前記ルックアップ・テーブルの前記ロケーションを識別する後続のステップは、前記第２のデータ・セットが対応する前記ルックアップ・テーブルのロケーションを識別するステップを含むことを特徴とする請求項１に記載の方法。
【請求項８】
プロセッサと、
微粒子の１つまたは複数の測定可能なパラメータによって組み立てられ、かつ複数のロケーションを含むルックアップ・テーブルであって、前記複数のロケーションのうち少なくともいくつかは前記１つまたは複数の事前に決められたアルゴリズムに関連し、それぞれの事前に決められたアルゴリズムは異なる微粒子の分類を表す、ルックアップ・テーブルと、
前記プロセッサによって実行可能なプログラム命令を含む記憶媒体と、
から成るシステムであって、
前記プログラム命令は、
微粒子の測定可能なパラメータに対応するデータ・セットを獲得し、
前記データ・セットに対応する前記ルックアップ・テーブルのロケーションを識別し、
前記識別されたロケーションに関連する１つまたは複数の事前に決められたアルゴリズムのみを処理して、前記１つまたは複数の事前に決められたアルゴリズムの少なくとも１つに前記データ・セットが合うかどうかを判定し、
前記識別および判定の終了後、前記識別されたロケーションに関連する前記１つまたは複数の事前に決められたアルゴリズムのみの処理に基づいて、少なくとも１つの事前に決められたカテゴリ分類内に前記微粒子を分類する、
ための命令であることを特徴とするシステム。
【請求項９】
前記微粒子を分類するための前記プログラム命令は、
前記データ・セットが前記少なくとも１つの微粒子分類に関連する事前に決められたアルゴリズムに合うと判定した場合、前記微粒子分類の少なくとも１つの分類内に前記微粒子を分類し、
前記データ・セットが、前記１つ又は複数の事前に決められたアルゴリズムに合わないと判定した場合、棄却分類内に前記微粒子を分類する
ための命令をさらに含むことを特徴とする請求項８記載のシステム。
【請求項１０】
前記１つまたは複数の事前に決められたアルゴリズムのみを処理するプログラム命令は、前記データ・セットが事前に決められたカテゴリ分類に分類されるまで、前記識別されたロケーションに関連する、前記１つ又は複数の事前に決められたアルゴリズム内で前記データ・セットを繰り返し処理するための命令を含むことを特徴とする請求項８に記載のシステム。
【請求項１１】
前記微粒子を前記分類するプログラム命令は、前記データ・セットが、前記１つまたは複数の事前に決めたアルゴリズムに合うと判定すると、複数の微粒子分類内に前記微粒子を分類するためのプログラム命令を含むことを特徴とする請求項８に記載のシステム。
【請求項１２】
前記ルックアップ・テーブルは前記データ・セットに関連する全ての前記測定可能なパラメータより少ないパラメータによって編成されることを特徴とする請求項８に記載のシステム。
【請求項１３】
前記ルックアップ・テーブルは前記データ・セットに関連する、２つより多い前記測定可能なパラメータで編成されることを特徴とする請求項８に記載のシステム。
【請求項１４】
前記ルックアップ・テーブルは少なくとも１つの前記測定可能なパラメータの複数の包括値によって編成され、それぞれの前記包括値は対応する測定可能なパラメータに関する可能な値の範囲を表すこと特徴とする請求項８に記載のシステム。
【請求項１５】
前記ルックアップ・テーブルを編成する少なくとも２つの前記測定可能なパラメータに関連する前記包括値の値は異なることを特徴とする請求項８に記載のシステム。
【請求項１６】
前記記憶媒体は前記ルックアップ・テーブルを有することを特徴とする請求項８に記載のシステム。
【請求項１７】
微粒子の測定可能なパラメータに対応する第１のデータ・セットを獲得するステップと、
第１のデータ・セットの１つまたは複数の個別の値とそれぞれ関係する１つまたは複数の包括値を有する第２のデータ・セットを作成するステップと、
前記第２のデータ・セットに対応し、かつ前記測定可能なパラメータの少なくとも１つに関連する値によって組み立てられた前記ルックアップ・テーブルのロケーションを識別するステップと、
前記ルックアップ・テーブルの前記識別されたロケーションに関連する微粒子の分類をら表している事前に決められたアルゴリズムに、前記第１のデータ・セットが合うかどうかを判定するステップと、
前記事前に決められたアルゴリズムに前記第１のデータ・セットが合うか否かの判定に基づいて、少なくとも１つの事前に決められたカテゴリ分類内に前記微粒子を分類するステップと、
を有し、
前記包括値のそれぞれは、対応する測定可能なパラメータに関する可能な値の範囲を表すことを特徴とするコンピュータによって実施される方法。
【請求項１８】
前記ルックアップ・テーブルを組み立てる前記測定可能なパラメータうち少なくとも１つの包括値に関連する前記可能な値の範囲は一様ではないことを特徴とする請求項１７記載の方法。
【請求項１９】
前記微粒子の分類をするステップは、
前記第１のデータ・セットが、前記事前に決められたアルゴリズムに合うと判定した場合、前記微粒子分類内に前記微粒子を分類するステップと、
前記第１のデータ・セットが、前記事前に決められたアルゴリズムに合わないと判定した場合、棄却分類内に前記微粒子を分類するステップ、
のどちらか１つを含むことを特徴とする請求項１７記載の方法。
【請求項２０】
前記ルックアップ・テーブルの前記識別されたロケーションに関連する１つまたは複数の異なる微粒子の分類をそれぞれが表す、１つまたは複数の追加の事前に決められたアルゴリズムに、前記第１のデータ・セットが合うかどうかを判定するステップをさらに有し、前記少なくとも１つの分類内に前記微粒子を分類するステップは、前記１つまたは複数の追加の事前に決められたアルゴリズムに前記第１のデータ・セットが合うかどうかを判定するステップに基づくことを特徴とする請求項１７記載の方法。